(57)【要約】【課題】  液体の漏れを確実に防止でき且つ加工コストを抑えて製造することができる電磁誘導加熱装置を提供する。【解決手段】  本装置１は、ケース体２と、ケース体内に収容される電磁誘導コイル３及び電磁誘導コイルに対向して設けられる被加熱ユニット４と、を備え、被加熱ユニットは、鋳造により成形され且つ非磁性金属からなる第１被加熱部材１５と、第１被加熱部材の表面側に設けられ且つ磁性金属からなる第２被加熱部材１６と、第１被加熱部材を鋳造により成形する際にインサートされ且つ液状物が供給され得るチューブ状部材１７と、を有して構成される。【選択図】  図１
0003105338.tif 000002
【実用新案登録請求の範囲】
【請求項１】
ケース体と、該ケース体内に収容される電磁誘導コイル及び該電磁誘導コイルに対向して設けられる液状物流通ユニットと、を備え、
前記液状物流通ユニットは、鋳造により成形され且つ非磁性金属からなる第１被加熱部材と、該第１被加熱部材の表面側に設けられ且つ磁性金属からなる第２被加熱部材と、前記第１被加熱部材を鋳造により成形する際にインサートされ且つ液状物が供給されるチューブ状部材と、を有することを特徴とする電磁誘導加熱装置。
【請求項２】
前記液状物流通ユニットが、前記ケース体に着脱自在に設けられている請求項１記載の電磁誘導加熱装置。
【請求項３】
前記電磁誘導コイルが、前記ケース体に設けた支持ブラケットに載置され、前記液状物流通ユニットが、前記電磁誘導コイルに設けたスペーサ部材を介して該電磁誘導コイルに所定間隔でもって対向して設けられ、且つ、押圧部材によって該電磁誘導コイルに向って押圧されている請求項２記載の電磁誘導加熱装置。
【請求項４】
前記第１被加熱部材が、前記第２被加熱部材を介して所定間隔でもって前記電磁誘導コイルに対向している請求項１乃至３のいずれか一項に記載の電磁誘導加熱装置。
【請求項５】
前記第２被加熱部材が、前記第１被加熱部材の表面側に形成された凹部に設けられている請求項４記載の電磁誘導加熱装置。
【請求項６】
前記第１被加熱部材がアルミニウムからなる請求項１乃至５のいずれか一項に記載の電磁誘導加熱装置。
【請求項７】
前記第２被加熱部材が整磁合金からなる請求項１乃至６のいずれか一項に記載の電磁誘導加熱装置。
【請求項８】
前記チューブ状部材が渦巻き状に巻かれている請求項１乃至７のいずれか一項に記載の電磁誘導加熱装置。
【請求項９】
前記チューブ状部材がステンレスからなる請求項１乃至８のいずれか一項に記載の電磁誘導加熱装置。
【請求項１０】
前記ケース体の内部には、前記液状物流通ユニットを覆うように保温部材が設けられている請求項１乃至９のいずれか一項に記載の電磁誘導加熱装置。
【請求項１１】
前記保温部材がグラスファイバーからなる請求項１０記載の電磁誘導加熱装置。
【請求項１２】
前記ケース体には、該ケース体の内部を冷却するための冷却ファンが設けられている請求項１乃至１１のいずれか一項に記載の電磁誘導加熱装置。
【請求項１３】
前記液状物が飲物である請求項１乃至１２のいずれか一項に記載の電磁誘導加熱装置。
【請求項１４】
請求項１乃至１３のいずれか一項に記載の電磁誘導加熱装置に用いられる液状物流通ユニットであって、
鋳造により成形され且つ非磁性金属からなる第１被加熱部材と、該第１被加熱部材の表面側に設けられ且つ磁性金属からなる第２被加熱部材と、前記第１被加熱部材を鋳造により成形する際にインサートされ且つ液状物が供給されるチューブ状部材と、を有することを特徴とする液状物流通ユニット。
【考案の詳細な説明】
【技術分野】
【０００１】
本考案は、電磁誘導加熱装置及びこれに用いられる液状物流通ユニットに関し、更に詳しくは、液状物の漏れを確実に防止でき且つ加工コストを抑えて製造することができる電磁誘導加熱装置及びこれに用いられる液状物流通ユニットに関する。
【背景技術】
【０００２】
従来より、電磁誘導加熱装置として、電磁誘導加熱を利用して瞬間的に液状物を昇温させるものが知られている（例えば、特許文献１参照）。
この特許文献１には、液状物が供給される通路として、例えば、（１）互いに接合される一対の金属板状体１２ａ、１２ｂのうちの金属板状体１２ａに渦巻き状流体溝１５を形成してなる形態（図３参照）、（２）磁性被加熱体８に対向して渦巻き状に巻かれたステンレス製のパイプ管１００を配設してなる形態（図７参照）等が開示されている。
【０００３】
しかし、上記特許文献１の上記（１）形態では、一対の金属板状体を互いに接合しているので、渦巻き状流体溝に供給される液状物が金属板状体間の隙間から漏れる恐れがあった。ここで、上記特許文献１は、水から一気に過熱水蒸気を得ることを目的に開発されたものであり、液状物の漏れについてそれ程厳格に管理する必要がなかったが、近年、飲物（例えば、水、酒、スープ等）を適宜温度に瞬間的に昇温させる装置の出現が望まれており、この場合、衛生上の観点から液状物の漏れをより確実に防止する必要があった。
【０００４】
また、上記特許文献１の上記（１）形態では、金属板状体に渦巻き状流体溝を切削加工した後、一対の金属板状体を適宜固定手段を介して互いに接合（固定）する必要があり、加工コストが高くなるといった問題があった。また、上記特許文献１の上記（２）形態でも、磁性被加熱体に対してパイプ管を適宜固定手段を介して固定する必要があり、やはり加工コストが高くなるといった問題があった。
【０００５】
【特許文献１】特開２００３−２０３７５１号公報
【考案の開示】
【考案が解決しようとする課題】
【０００６】
以上より本考案は、上記現状に鑑みてなされたものであり、液状物の漏れを確実に防止でき且つ加工コストを抑えて製造することができる電磁誘導加熱装置及びこれに用いられる液状物流通ユニットを提供することを目的とする。
【課題を解決するための手段】
【０００７】
本考案は、以下の通りである。
１．  ケース体と、該ケース体内に収容される電磁誘導コイル及び該電磁誘導コイルに対向して設けられる液状物流通ユニットと、を備え、
前記液状物流通ユニットは、鋳造により成形され且つ非磁性金属からなる第１被加熱部材と、該第１被加熱部材の表面側に設けられ且つ磁性金属からなる第２被加熱部材と、前記第１被加熱部材を鋳造により成形する際にインサートされ且つ液状物が供給されるチューブ状部材と、を有することを特徴とする電磁誘導加熱装置。
２．  前記液状物流通ユニットが、前記ケース体に着脱自在に設けられている上記１．記載の電磁誘導加熱装置。
３．  前記電磁誘導コイルが、前記ケース体に設けた支持ブラケットに載置され、前記液状物流通ユニットが、前記電磁誘導コイルに設けたスペーサ部材を介して該電磁誘導コイルに所定間隔でもって対向して設けられ、且つ、押圧部材によって該電磁誘導コイルに向って押圧されている上記２．記載の電磁誘導加熱装置。
４．  前記第１被加熱部材が、前記第２被加熱部材を介して所定間隔でもって前記電磁誘導コイルに対向している上記１．乃至３．のいずれか一項に記載の電磁誘導加熱装置。
５．  前記第２被加熱部材が、前記第１被加熱部材の表面側に形成された凹部に設けられている上記４．記載の電磁誘導加熱装置。
６．  前記第１被加熱部材がアルミニウムからなる上記１．乃至５．のいずれか一項に記載の電磁誘導加熱装置。
７．  前記第２被加熱部材が整磁合金からなる上記１．乃至６．のいずれか一項に記載の電磁誘導加熱装置。
８．  前記チューブ状部材が渦巻き状に巻かれている上記１．乃至７．のいずれか一項に記載の電磁誘導加熱装置。
９．  前記チューブ状部材がステンレスからなる上記１．乃至８．のいずれか一項に記載の電磁誘導加熱装置。
１０．  前記ケース体の内部には、前記液状物流通ユニットを覆うように保温部材が設けられている上記１．乃至９．のいずれか一項に記載の電磁誘導加熱装置。
１１．  前記保温部材がグラスファイバーからなる上記１０．記載の電磁誘導加熱装置。
１２．  前記ケース体には、該ケース体の内部を冷却するための冷却ファンが設けられている上記１．乃至１１．のいずれか一項に記載の電磁誘導加熱装置。
１３．  前記液状物が飲物である上記１．乃至１２．のいずれか一項に記載の電磁誘導加熱装置。
１４．  上記１．乃至１３．のいずれか一項に記載の電磁誘導加熱装置に用いられる液状物流通ユニットであって、
鋳造により成形され且つ非磁性金属からなる第１被加熱部材と、該第１被加熱部材の表面側に設けられ且つ磁性金属からなる第２被加熱部材と、前記第１被加熱部材を鋳造により成形する際にインサートされ且つ液状物が供給されるチューブ状部材と、を有することを特徴とする液状物流通ユニット。
【考案の効果】
【０００８】
本考案の電磁誘導加熱装置によると、電磁誘導コイルによって液状物流通ユニットが加熱され、チューブ状部材に供給される液状物が適宜温度に昇温される。このように、チューブ状部材に液状物を供給して流通させるようにしたので、液状物の漏れが確実に防止される。また、第１被加熱部材を鋳造成形する際にチューブ状部材をインサートして、第１被加熱部材の内部にチューブ状部材を溶着するようにしたので、鋳造とは別工程で第１被加熱部材に対してチューブ状部材を固定する必要がなく、加工コストを抑制することができる。
また、前記液状物流通ユニットが、前記ケース体に着脱自在に設けられている場合は、液状物の種類、用途等に応じて容易に液状物流通ユニットを交換することができる。
また、前記電磁誘導コイルが、前記ケース体に設けた支持ブラケットに載置され、前記液状物流通ユニットが、前記電磁誘導コイルに設けたスペーサ部材を介して該電磁誘導コイルに所定間隔でもって対向して設けられ、且つ、押圧部材によって該電磁誘導コイルに向って押圧されている場合は、ケース体に対して液状物流通ユニットをより容易に着脱することができる。
また、前記第１被加熱部材が、前記第２被加熱部材を介して所定間隔でもって前記電磁誘導コイルに対向している場合は、より効率良く液状物を加熱することができる。
また、前記第１被加熱部材が、前記第２被加熱部材を介して所定間隔でもって前記電磁誘導コイルに対向している場合は、第１被加熱部材に対して第２被加熱部材を容易に位置決めすることができる。
また、前記第１被加熱部材がアルミニウムからなる場合は、第１被加熱部材に適当な熱伝導性を持たせることができ、さらに効率良く液状物を加熱することができる。
また、前記第２被加熱部材が整磁合金からなる場合は、第２被加熱部材に自己温度制御機能を持たせることができ、液状物を所定の温度に制御し易い。
また、前記チューブ状部材が渦巻き状に巻かれている場合は、さらに効率良く液状物を加熱することができる。
また、前記チューブ状部材がステンレスからなる場合は、さらに簡易・安価に構成できる。
また、前記ケース体の内部には、前記液状物流通ユニットを覆うように保温部材が設けられている場合は、液状物流通ユニットを保温でき、さらに効率良く液状物を加熱することができる。
また、前記保温部材がグラスファイバーからなる場合は、より安価・簡易に構成できる。
また、前記ケース体には、該ケース体の内部を冷却するための冷却ファンが設けられている場合は、絶縁部材等の過度の温度上昇を抑制して、全体としての熱効率を向上させることができる。
また、前記液状物が飲物である場合は、効率良く飲物を加熱することができる。
本考案の液状物流通ユニットによると、上記電磁誘導加熱装置に好適に用いられる液状物流通ユニットを提供することができる。
【考案を実施するための最良の形態】
【０００９】
本考案に係る電磁誘導加熱装置は、以下に述べるケース体、電磁誘導コイル、及び液状物流通ユニットを備えて構成される。
【００１０】
上記「ケース体」は、上記電磁誘導コイル及び上記液状物流通ユニットを収容し得る限り、その構造、形状、大きさ等は特に問わない。このケース体の内部には、例えば、上記液状物流通ユニットを覆うように保温部材が設けられていることができる。この保温部材の材質、形状、大きさ等は特に問わないが、保温部材がグラスファイバーからなることが好ましい。また、ケース体には、例えば、ケース体の内部を冷却するための冷却ファンが設けられていることができる。
【００１１】
上記「電磁誘導コイル」は、磁束を発生可能である限り、その構造、形状、大きさ等は特に問わない。この電磁誘導コイルは、例えば、上記液状物流通ユニットの外周を囲む筒状であることができる。より簡易・安価に構成できるといった観点から、この電磁誘導コイルが平板状であることが好ましい。この場合、電磁誘導用コイルの平面形状としては、例えば、円形状、楕円状、角形状（例えば、４角形、５角形等）、異形状等のうちの１種又は２種以上の組み合わせ等を挙げることができる。
【００１２】
上記「液状物流通ユニット」は、上記電磁誘導コイルに対向して設けられ、且つ、以下に述べる第１被加熱部材、第２被加熱部材、及びチューブ状部材を有している限り、その構造、形状、大きさ等は特に問わない。この液状物流通ユニットは、例えば、上記ケース体に対して着脱可能に設けられていることができる。具体的には、例えば、上記電磁誘導コイルが、ケース体に設けた支持ブラケットに載置され、この液状物流通ユニットが、電磁誘導コイルに設けたスペーサ部材を介して電磁誘導コイルに所定間隔でもって対向して設けられ、且つ、押圧部材によって電磁誘導コイルに向って押圧されていることができる。上記支持ブラケット及び上記押圧部材の形状、大きさ、個数等は特に問わない。
【００１３】
上記「第１被加熱部材」は、鋳造により成形され、且つ、非磁性金属からなる限り、その材質、形状、個数等は特に問わない。この第１被加熱部材の材質としては、例えば、アルミニウム、銅等のうちの１種の金属又は合金などを挙げることができる。良好な熱伝導性といった観点から、この第１被加熱部材がアルミニウムからなることが好ましい。
尚、上記「鋳造」の種類としては、例えば、金型鋳造、ダイカスト、砂型鋳造、シェルモールド法、ロストワックス法等を挙げることができる。
【００１４】
また、この第１被加熱部材の形状としては、例えば、平板状、皿状、鍋状、釜状等を挙げることができる。全体をより軽量・小型に構成できるといった観点から、第１被加熱部材が平板状であることが好ましい。この場合、この第１被加熱部材の平面形状としては、例えば、円形状、楕円形状、角形状（例えば、４角形、５角形等）、異形状等のうちの１種又は２種以上の組み合わせ等を挙げることができる。さらに、平板状の第１被加熱部材は、通常、平板状の電磁誘導コイルの表面側に所定間隔でもって対向して設けられる。
【００１５】
上記「第２被加熱部材」は、上記第１被加熱部材の表面側に設けられ、且つ、磁性材料からなる限り、その材質、形状、成形法等は特に問わない。この第２被加熱部材の材質としては、例えば、ステンレス、鉄等のうちの１種の金属又は合金などを挙げることができる。自己温度制御機能を持たせ得るといった観点から、この第２被加熱部材が整磁合金からなることが好ましい。この整磁合金としては、例えば、Ｎｉ−Ｆｅ合金、Ｎｉ−Ｃｒ−Ｆｅ合金、Ｎｉ−Ｃｒ−Ｃｏ−Ｆｅ合金等を挙げることができる。
【００１６】
また、この第２被加熱部材の形状としては、例えば、平板状、皿状、鍋状、釜状等を挙げることができる。全体をより軽量・小型に構成できるといった観点から、第２被加熱部材が平板状であることが好ましい。この場合、この第２被加熱部材の平面形状としては、例えば、円形状、楕円形状、角形状（例えば、４角形、５角形等）、異形状等のうちの１種又は２種以上の組み合わせ等を挙げることができる。
【００１７】
ここで、上記第１被加熱部材及び第２被加熱部材は、通常、互いに接合されている。この接合形態としては、例えば、（１）適宜固定手段（例えば、ビス、ボルト、スタッド、リベット等）により両部材を接合する形態、（２）適宜成形法（例えば、圧延、爆着、溶着等）により両部材を接合する形態、（３）第１被加熱部材を鋳造により成形する際に、第２被加熱部材をインサートすることによって両部材を接合する形態等を挙げることができる。
また、上記第２被加熱部材は、例えば、上記第１被加熱部材の表面側に形成された凹部に設けられていることができる。
【００１８】
上記「チューブ状部材」は、上記第１被加熱部材を鋳造により成形する際にインサート（「鋳ぐるみ」とも称される。）され、且つ、液状物が供給され得る限り、その構造、形状、成形法等は特に問わない。このチューブ状部材の材質としては、例えば、ステンレス、鉄、アルミニウム、銅等を挙げることができる。より簡易・安価に構成できるといった観点から、チューブ状部材がステンレスからなることが好ましい。また、このチューブ状部材は、例えば、蛇行状に折り曲げられていることができる。液状物の流通性といった観点から、チューブ状部材が渦巻き状に巻かれていることが好ましい。また、このチューブ状部材の縦断面形状としては、例えば、円筒状、楕円筒状、角筒状、異形筒状等を挙げることができる。
なお、チューブ状部材の両端部は、通常、第１被加熱部材の外側に突出している。そして、液状物は、一方の端部から供給され他方の端部から排出されることとなる。また、インサートの形態としては、例えば、完全鋳ぐるみ、半鋳ぐるみ等を挙げることができる。
【００１９】
上記「液状物」の種類、用途、供給形態等は特に問わない。この液状物としては、例えば、液体、液体に固体が夾雑しているもの、ゼリー状体等を挙げることができる。また、この液状物としては、例えば、飲食用、調理用、洗浄用等を挙げることができる。特に、この液状物が飲物であることが好ましい。この飲物としては、例えば、水、酒、スープ等を挙げることができる。
【実施例】
【００２０】
以下、図面に基づいて実施例により本考案を具体的に説明する。
（１）電磁誘導加熱装置の構成
本実施例に係る電磁誘導加熱装置１は、図１及び図２に示すように、ステンレス製で箱状のケース体２と、このケース体２内に収容される平板状の電磁誘導コイル３及び液状物流通ユニット４と、を備えて構成されている。
【００２１】
上記ケース体２の側壁底部には、支持ブラケット６が固定され、この支持ブラケット６の上面には、略円板状の支持部材７が支持されている。この支持部材７の上面には、所定巻数の上記電磁誘導コイル３が設けられている。この電磁誘導コイル３は、インバータ（図示せず）により生成される高周波電力によって交番磁界が生じ、この交番磁界によって後述の第２被加熱部材に渦電流を発生させて、第２被加熱部材自身が発熱するようになっている。
【００２２】
また、支持ブラケット６には、４本のスタンド部材８が垂設されている。各スタンド部材８には、筒状のスペーサ部材９が挿入され、各スペーサ部材９を介して平板状のプレート部材１０が載置されている。このプレート部材１０の上面には、平板状の耐熱シート１１が載置されて、この耐熱シート１１の上面には、上記液状物流通ユニット４が載置されている。また、対となるスタンド部材８の上端部には水平方向に延びる２本の押え板材１２（本発明に係る「押圧部材」として例示する。）が懸架されている。そして、これら押え板材１２により液状物流通ユニット４の上面が下方に押えられ、液状物流通ユニット４は、電磁誘導コイル３に対して所定間隔をもって対向するように位置決めされている。また、ケース体２の内部には、液状物流通ユニット４を覆うようにグラスファイバー製の保温部材１３が設けられている。さらに、ケース体２の外壁には、その内部を冷却するための複数（図中２つ）の冷却ファン１４が設けられている。
【００２３】
上記液状物流通ユニット４は、図３及び図４に示すように、アルミニウム製の第１被加熱部材１５、整磁合金製の第２被加熱部材１６、及びステンレス製のチューブ状部材１７を備えて構成されている。この第１被加熱部材１５は、金型鋳造により成形され、円板状を有している。また、この第１被加熱部材１５の下面側には凹部１５ａが形成され、この凹部１５ａに円板状の上記第２被加熱部材１６が設けられている。
【００２４】
上記チューブ状部材１７は、所定巻数（例えば、１０．５巻）及び所定ピッチ間隔（例えば、７ｍｍ）で、その中心部から外方に延びて１本の渦巻き状に形成されている。また、チューブ状部材１７の縦断面形状は円筒状を有している。さらに、チューブ状部材１７の両端部は、上方に向って延びて、第１被加熱部材１５の上方に突出している。さらに、図１に示すように、チューブ状部材１７の一方の端部には、ポンプ１９を介して液状物貯留タンク２０が配管接続されている。また、チューブ状部材１７の他方の端部には、適宜ノズル部材（図示せず）が配管接続されている。
【００２５】
上記チューブ状部材１７は、上記第１被加熱部材１５を金型鋳造により成形する際にインサートされて、この第１被加熱部材１５の内部に一体的に溶着されている。そして、このチューブ状部材１７は、第１被加熱部材１５の高さ方向の略中央部に位置される。また、このようにチューブ状部材１７をその内部に溶着してなる第１被加熱部材１５の凹部１５ａに、第２被加熱部材１６を位置決めして、第１被加熱部材１５及び第２被加熱部材１６が適宜固定手段（例えば、ボルト等）を介して固定されることとなる。
【００２６】
（２）電磁誘導加熱装置の作用
次に、以上のように構成された電磁誘導加熱装置１の作用について説明する。
液状物を所定温度に昇温させる際、液状物貯留タンク２０に貯留された液状物をポンプ１９の作用により所定の流量でチューブ状部材１７の一方の端部に供給する。これと同時に、インバータにより駆動される電磁誘導コイル３によって第２被加熱部材１６が加熱される。すると、この第２被加熱部材１６の発熱が第１被加熱部材１５及びチューブ状部材１７を介して、このチューブ状部材１７を渦巻状に流通する液状物に伝熱される。そして、所定温度まで昇温された液状物は、チューブ状部材１７の他方の端部に接続されたノズル部材から吐出されることとなる。
【００２７】
（３）実施例の効果
以上より、本実施例では、電磁誘導コイル３によって、自己温度制御機能を有する整磁合金製の第２被加熱部材１６が加熱され、その加熱が、熱伝導性に優れたアルミニウム製の第１被加熱部材１６及びステンレス製のチューブ状部材１７を介して、このチューブ状部材１７内を流通する液状物に伝熱されるようにしたので、液状物を効率良く瞬間的に所定温度まで昇温することができる。その結果、例えば、本実施例に係る電磁誘導加熱装置１をコンビニエンスストア等の小売店舗に設置しておき、この電磁誘導加熱装置１により水を所定温度（例えば、９０℃）まで瞬間的に昇温させ、その昇温された水（お湯）を客が購入したカップ麺等に注いで、その場で飲食し得るサービスを効率的に行うことができる。
また、本実施例では、液状物流通ユニット４を構成するチューブ状部材１７に液状物を供給して流通させるようにしたので、液状物の漏れが確実に防止される。従って、液状物として飲物等を用いる場合であっても、衛生上の観点から好ましい。
また、本実施例では、第１被加熱部材１５を鋳造成形する際にチューブ状部材１７をインサートして、第１被加熱部材１５の内部にチューブ状部材１７を溶着するようにしたので、従来のように、第１被加熱部材に対してチューブ状部材を適宜固定手段を用いて固定する必要がなく、加工コストを大幅に抑制することができる。
【００２８】
尚、本考案においては、前記実施例に限られず、目的、用途に基づいて本考案の範囲内で種々変更した実施例とすることができる。即ち、上記実施例では、チューブ状部材１７の縦断面形状が円筒状となるものを例示したが、これに限定されず、例えば、チューブ状部材１７の縦断面形状が楕円筒状となるものとしてもよい。また、上記実施例では、チューブ状部材１７を所定ピッチ間隔の渦巻き状に形成したものを例示したが、これに限定されず、例えば、チューブ状部材を不等ピッチ間隔の渦巻き状に形成したものとしてもよい。
また、本実施例では、整磁合金製の第２被加熱部材１６を例示したが、これに限定されず、例えば、ステンレス、鉄等の磁性材料からなる第２被加熱部材としてもよい。
【産業上の利用可能性】
【００２９】
液状物を瞬間的に昇温させる技術として利用される。特に、水、酒、スープ等の飲物を瞬間的に昇温させる技術として好適に利用される。
【図面の簡単な説明】
【００３０】
【図１】本実施例に係る電磁誘導加熱装置の縦断面図である。
【図２】図１のII−II線断面図である。
【図３】本実施例に係る液状物流通ユニットの縦断面図である。
【図４】図３のIV−IV方向矢視断面図である。
【符号の説明】
【００３１】
１；電磁誘導加熱装置、２；ケース体、３；電磁誘導コイル、４；液状物流通ユニット、１３；保温部材、１４；冷却ファン、１５；第１被加熱部材、１５ａ；凹部、１６；第２被加熱部材、１７；チューブ状部材。
【図１】
0003105338.tif 000003
【図２】
0003105338.tif 000004
【図３】
0003105338.tif 000005
【図４】
0003105338.tif 000006